(57)【要約】【課題】  プラント監視装置のプラントデータを安定してバックアップする。【解決手段】  プラント監視装置１は、プラント機器４１からプロセス信号２１を受信して警報出力処理を行うプラント監視処理部３と、警報出力処理に係るプラントデータ２４を記憶させるプラントデータ記憶装置９と、プラント監視処理部３による警報出力処理の実行予定を警報出力処理イベント２３として入力するイベント入力部６と、警報出力処理イベント２３に基づいてプラント監視処理部３によるアクセスタイミングを判定し、バックアップ予定時間２５からアクセスタイミングを避けてバックアップスケジュール２６を決定するスケジュール決定部７と、バックアップスケジュール２６に従ってプラントデータ記録装置９内のプラントデータ２４を外部記憶装置１１にバックアップするバックアップ処理装置１０とを備える。【選択図】  図１
2013050828.tif 000002
【特許請求の範囲】
【請求項１】
プラント機器からプロセス信号を受信して正常範囲逸脱制限値と比較し、警報出力処理を行うプラント監視処理部と、
このプラント監視処理部によってアクセスし、前記警報出力処理に係るプラントデータを記憶させることができるプラントデータ記憶装置と、
前記プラント監視処理部による前記警報出力処理の実行予定を警報出力処理イベントとして入力するイベント入力部と、
バックアップを行う所定のバックアップ予定時間を記憶したルールテーブルと、
前記イベント入力部に入力された前記警報出力処理イベントに基づいて、前記プラント監視処理部の前記警報出力処理による前記プラントデータ記録装置へのアクセスタイミングを判定し、前記バックアップ予定時間から前記アクセスタイミングを避けてバックアップスケジュールを決定するスケジュール決定部と、
このスケジュール決定部によって決定された前記バックアップスケジュールに従って前記プラントデータ記録装置内の前記プラントデータを読み出し、外部記憶装置にバックアップするバックアップ処理装置とを備えることを特徴とするプラント監視装置。
【請求項２】
前記プラント機器の状態を入力として、プラント運転状態を判定するプラントテーブル部をさらに備え、
前記イベント入力部に、さらに前記プラントテーブル部によって前記プラント運転状態のうち特定プラント運転状態が判定され、この特定プラント運転状態に基づいて前記プラント監視処理部によるプラント自動処理の実行予定を示す特定プラントイベントを入力し、
前記プラント監視処理部は、前記特定プラント運転状態に基づいて前記プラント自動処理を行うとともに、このプラント自動処理に係る前記プラントデータを前記プラントデータ記憶装置に記録し、
前記スケジュール決定部は、前記プラントテーブル部に入力された前記特定プラントイベントに基づいて、前記プラント監視処理部の前記プラント自動処理による前記プラントデータ記録装置への前記アクセスタイミングを判定し、このアクセスタイミングをさらに避けて前記バックアップスケジュールを決定することを特徴とする請求項１に記載のプラント監視装置。
【請求項３】
所定時間にプラント機器から受信した前記プラントデータを前記プラントデータ記録装置にログ記録を行う運転ログ処理部をさらに備え、
前記イベント入力部は、さらに前記運転ログ処理部による前記ログ記録の実行予定をログ記録イベントとして記録し、
前記スケジュール決定部は、前記プラントテーブル部に記憶された前記ログ記録イベントに基づいて、前記運転ログ処理部による前記プラントデータ記録装置へのアクセスタイミングを判定し、このアクセスタイミングをさらに避けて前記バックアップスケジュールを決定することを特徴とする請求項１または請求項２に記載のプラント監視装置。
【請求項４】
前記プラント監視処理部を実行処理するアプリケーションソフトの保守情報を前記バックアップデータ記憶装置に記録する保守情報処理部をさらに備え、
前記イベント入力部は、さらに前記保守情報処理部による前記保守情報の記録を保守イベントとして記録し、
前記スケジュール決定部は、前記プラントテーブル部に記憶された前記保守情報記録イベントに基づいて、前記保守情報処理部による前記保守情報の記録による前記プラントデータ記録装置へのアクセスタイミングを判定し、このアクセスタイミングさらにを避けて前記バックアップスケジュールを決定することを特徴とする請求項１乃至請求項３の何れか一項に記載のプラント監視装置。
【請求項５】
前記バックアップデータ記憶装置において実行中の前記バックアップを手動で強制的に中止させることができるバックアップ中止装置をさらに備えることを特徴とする請求項１乃至請求項５の何れか一項に記載のプラント監視装置。
【請求項６】
前記スケジュール決定部によって決定された前記バックアップスケジュールによらず、前記バックアップデータ記憶装置による前記外部記憶装置へのバックアップを手動で強制的に行わせることができるバックアップ要求装置をさらに備えることを特徴とする請求項１乃至請求項５の何れか一項に記載のプラント監視装置。
【請求項７】
内部にデータリストア装置および外部プラントデータ記憶装置を有する外部プラント監視装置と、
前記バックアップ処理装置から前記プラントデータを受信し、前記データリストア装置に転送することができるデータ転送装置とをさらに備え、
前記データリストア装置は受信した前記プラントデータを前記外部プラントデータ記憶装置に記憶することを特徴とする請求項１乃至請求項６の何れか一項に記載のプラント監視装置。
【請求項８】
プラント機器からプロセス信号を受信して正常範囲逸脱制限値と比較し、警報出力処理を行うプラント監視処理工程と、
このプラント監視処理工程によって行われた前記警報出力処理に係るプラントデータをプラントデータ記憶装置に記憶させるプラントデータ記憶工程と、
前記プラント監視処理工程による前記警報出力処理の実行予定を警報出力処理イベントとして入力し、この警報出力処理イベントに基づいて、前記プラントデータ記憶工程における前記プラントデータ記録装置へのアクセスタイミングを判定し、所定のバックアップ予定時間から前記アクセスタイミングを避けてバックアップスケジュールを決定するスケジュール決定工程と、
このスケジュール決定工程によって決定された前記バックアップスケジュールに従って前記プラントデータ記録装置内の前記プラントデータを読み出し、外部記憶装置にバックアップするバックアップ処理工程とを備えることを特徴とするプラントデータデータバックアップ方法。 
【発明の詳細な説明】
【技術分野】
【０００１】
本発明は、プラントデータを外部記録装置にバックアップするプラント監視装置およびそのプラントデータバックアップ方法に関する。
【背景技術】
【０００２】
原子力発電所をはじめとする発電プラントに設置されるプラント監視装置は、プラント運転中はもちろん、定期検査等のプラント停止中であってもプラント機器の状態把握等を目的として連続稼動し、プラント機器の温度や圧力を示すプラントデータをプラントデータ記憶装置に逐次記録している。プラントデータ記憶装置に記憶されたプラントデータは外部記憶装置にバックアップされ、プラントの挙動解析やプラント機器の性能検査等に用いられる。
【０００３】
従来のプラントデータのバックアップ方法は、定期検査中にプラント運転員がプラント監視装置に外部記憶装置を接続して手動でバックアップを行っていた。しかし、定期検査は数ヶ月乃至数年といった長期スパンで行われるため、万が一プラントに不適事象が発生しプラント監視装置が停止に至った場合、前回のバックアップ時点から不適事象発生時までのプラントデータをバックアップすることができない可能性がある。
【０００４】
そこで、プラント監視装置をマスタ側計算機とバックアップ側計算機としてそれぞれ別個の建屋に設け、１日毎といった所定の定期的なバックアップタイミングにおいてマスタ側計算機内のプラントデータをバックアップ側計算機にバックアップする技術が開発されている（例えば、特許文献１参照。）。
【先行技術文献】
【特許文献】
【０００５】
【特許文献１】特開平１１−９５８０４号公報
【発明の概要】
【発明が解決しようとする課題】
【０００６】
ここで、プラント監視装置の重要な機能として警報出力処理がある。警報出力処理は、プラント機器から受信したプロセス信号が正常範囲逸脱制限値から逸脱した場合に中央制御室に警報を発し、さらに警報出力処理に係るプラントデータをプラントデータ記憶装置に書き込む処理である。
【０００７】
上述した特許文献１に記載の技術は、警報出力処理に係るプラントデータの書き込みのアクセスタイミングにマスタ側計算機からバックアップ側計算機へのバックアップタイミングが重なった場合、プラントデータの書き込みミスやプラント監視装置への負荷等が発生する可能性がある。
【０００８】
そこで本発明は、安定してプラントデータをバックアップすることができるプラント監視装置を提供することを目的とする。
【課題を解決するための手段】
【０００９】
上記目的を達成するために本発明のプラント監視装置は、プラント機器からプロセス信号を受信して正常範囲逸脱制限値と比較し、警報出力処理を行うプラント監視処理部と、このプラント監視処理部によってアクセスし、警報出力処理に係るプラントデータを記憶させることができるプラントデータ記憶装置と、プラント監視処理部による警報出力処理の実行予定を警報出力処理イベントとして入力するイベント入力部と、バックアップを行う所定のバックアップ予定時間を記憶したルールテーブルと、イベント入力部に入力された警報出力処理イベントに基づいて、プラント監視処理部によるプラントデータ記録装置へのアクセスタイミングを判定し、バックアップ予定時間からアクセスタイミングを避けてバックアップスケジュールを決定するスケジュール決定部と、スケジュール決定部によって決定されたバックアップスケジュールに従ってプラントデータ記録装置内のプラントデータを読み出し、外部記憶装置にバックアップするバックアップ処理装置とを備えることを特徴とする。
【００１０】
さらに、上記目的を達成するために本発明のプラントデータバックアップ方法は、プラント機器からプロセス信号を受信して正常範囲逸脱制限値と比較し、警報出力処理を行うプラント監視処理工程と、このプラント監視処理工程によって行われた警報出力処理に係るプラントデータをプラントデータ記憶装置に記憶させるプラントデータ記憶工程と、プラント監視処理工程による警報出力処理の実行予定を警報出力処理イベントとして入力し、この警報出力処理イベントに基づいて、プラントデータ記憶工程におけるプラントデータ記録装置へのアクセスタイミングを判定し、所定のバックアップ予定時間からアクセスタイミングを避けてバックアップスケジュールを決定するスケジュール決定工程と、このスケジュール決定工程によって決定されたバックアップスケジュールに従ってプラントデータ記録装置内のプラントデータを読み出し、外部記憶装置にバックアップするバックアップ処理工程とを備えることを特徴とする。
【発明の効果】
【００１１】
本発明によれば、プラント監視装置のプラントデータを安定してバックアップすることができる。
【図面の簡単な説明】
【００１２】
【図１】本発明の第１の実施形態に係るプラント監視装置の概略ブロック図。
【図２】本発明の第１の実施形態に係るプラント監視装置のプラントテーブル部の例を示す概略図。
【図３】本発明の第１の実施形態に係るプラント監視装置のルールテーブルの例を示す概略図。
【図４】本発明の第２の実施形態に係るプラント監視装置の概略ブロック図。
【図５】本発明の第３の実施形態に係るプラント監視装置の概略ブロック図。
【発明を実施するための形態】
【００１３】
以下、本発明の実施形態を説明する。
【００１４】
（第１の実施形態）
（構成）
以下、本発明の第１の実施形態に係るプラント監視装置について図１乃至図３を参照して説明する。図１は、本発明の第１の実施形態に係るプラント監視装置の概略ブロック図である。プラント監視装置１は、プラントテーブル部２と、プラント監視処理部３と、運転ログ処理部４と、保守情報処理部５と、イベント入力部６と、スケジュール決定部７と、ルールテーブル８と、プラントデータ記憶装置９と、バックアップ処理装置１０とから構成される。さらにプラント監視装置１にはプラント機器４１および外部記憶装置１１が接続される。
【００１５】
プラント機器４１は、プラント内の各所に設けられるポンプやモータ、弁等であって、これらに各々設けられたセンサやアクチュエータによって温度や圧力、流量等を示すプロセス信号２１ａ、２１ｂ、２１ｃをプラント監視装置１に送信する機器である。外部記憶装置１１は、ＨＤＤ（Ｈａｒｄ  ｄｉｓｋ  ｄｒｉｖｅ）や光ディスク等の記憶媒体である。
【００１６】
以下、プラント監視装置１の各構成の接続関係について説明する。プラントテーブル部２およびプラント監視処理部３ならびに運転ログ処理部４は、プラント機器４１からプロセス信号２１ａ、２１ｂ、２１ｃをそれぞれ受信できるように、プラントテーブル部２およびプラント監視処理部３ならびに運転ログ処理部４はプラント機器４１に接続される。
【００１７】
プラント監視処理部３は、プラントテーブル部２から特定プラント運転状態情報２２を受信することができるように、プラント監視処理部３はプラントテーブル部２に接続される。
【００１８】
保守情報処理部５は、プラントテーブル部２およびプラント監視処理部３ならびに運転ログ処理部４から保守情報２７ａ、２７ｂ、２７ｃをそれぞれ受信することができるように、保守情報処理部５はプラントテーブル部２およびプラント監視処理部３ならびに運転ログ処理部４に接続される。
【００１９】
イベント入力部６は、プラントテーブル部２から特定プラントイベント２３ａを受信できるように、イベント入力部６はプラントテーブル部２に接続される。さらにイベント入力部６は、プラント監視処理部３から警報出力処理イベント２３ｂを受信できるように、イベント入力部６はプラント監視処理部３に接続される。
【００２０】
またイベント入力部６は、運転ログ処理部４からログ記録イベント２３ｃを受信できるように、イベント入力部６は運転ログ処理部４に接続される。さらにイベント入力部６は、保守情報処理部５から保守イベント２３ｄを受信できるように、イベント入力部６は保守情報処理部５に接続される。
【００２１】
スケジュール決定部７は、イベント入力部６からプラントイベント情報２３を受信することができるように、スケジュール決定部７はイベント入力部６に接続される。さらにスケジュール決定部７は、ルールテーブル８からバックアップ予定時間２５を受信することができるように、スケジュール決定部７はルールテーブル８に接続される。
【００２２】
プラントデータ記憶装置９は、プラント監視処理部３および運転ログ処理部４ならびに保守情報処理部５から監視処理データ２４ｂ、ログデータ２４ｃ、保守データ２４ｄをそれぞれ受信することができるように、プラントデータ記憶装置９はプラント監視処理部３および運転ログ処理部４ならびに保守情報処理部５に接続される。
【００２３】
バックアップ処理装置１０は、スケジュール決定部７からバックアップスケジュール２６を受信することができるように、バックアップ処理装置１０はスケジュール決定部７に接続される。さらにバックアップ処理装置１０は、プラントデータ記憶装置９からプラントデータ２４を読み出すことができるように、バックアップ処理装置１０はプラントデータ記憶装置９に接続される。
【００２４】
外部記憶装置１１は、バックアップ処理装置１０からプラントデータ２４を受信することができるように、外部記憶装置１１はバックアップ処理装置１０に着脱可能に接続される。
【００２５】
（作用）
以下、本発明の第１の実施形態の作用について説明する。まず、プラントテーブル部２およびプラント監視処理部３ならびに運転ログ処理部４の基本作用について説明し、バックアップ処理装置１０による外部記憶装置１１へのプラントデータ２４のバックアップ方法については後述する。
【００２６】
プラントテーブル部２は、プラント機器４１からプロセス信号２１ａを受信し、プラント機器４１の状態を入力とした論理表で状態判定してプラント運転状態を自動的に判定する。図２は、本発明の第１の実施形態に係るプラント監視装置のプラントテーブル部の例を示す概略図である。図２のように、プロセス信号２１から求められる弁の開度やポンプの起動を論理表に当てはめ、所定の系統の起動が必要であることを示すプラント運転状態を判定することができる。
【００２７】
プラントテーブル部２によって判定されるプラント運転状態のうち、所定の系統の起動または停止、プラントの出力上昇または下降といった所定のプラント機器４１の操作を要する特定プラント運転状態は、特定プラント運転状態情報２２としてプラント監視処理部３に送信され、後述するプラント監視処理部３によるプラント自動処理に用いられる。特定プラント運転状態情報２２には所定のプラント４１の操作を示す情報を付加することができる。
【００２８】
プラント監視処理部３は、プラント機器４１から受信したプロセス信号２１ｂから求められるプロセス値を正常範囲逸脱制限値と比較し、これを逸脱した場合に中央制御室に警報を出力する警報出力処理を行う。またプラント監視処理部３は、プラントテーブル部２から特定プラント運転状態情報２２を受信し、特定プラント運転状態に基づいてプラント機器４１の起動や停止を自動的に行うプラント自動処理を行う。例えば、特定プラント運転状態が所定の系統の起動を示す場合、プラント監視処理部３は所定の系統の起動を行うプラント機器４１の操作を自動処理する。
【００２９】
さらにプラント監視処理部３は、警報出力処理ならびにプラント自動処理の実行に際してプラントデータ記憶装置９にアクセスし、それぞれ警報出力処理の内容やプロセス値、プラント自動処理を行ったプラント機器４１や処理内容を示す情報を監視処理データ２４ｂとしてプラントデータ記憶装置９に送信し記憶させる。
【００３０】
またプラント監視処理部３は、プラント運転員の監視および操作に必要な操作画面に自動的に切り替えを行う緊急時処理や、プロセス値を図形やシンボルパターンにて視覚化しプラント各系統の運転状況を描画するグラフィック処理、ＣＲＴ画面やプリンタにプラント状態変化を出力するメッセージ処理等を行うことができる。
【００３１】
運転ログ処理部４は、プラント機器４１から流量や圧力、温度を示すプロセス信号２１をプラントの運転効率、寿命消費等を示すプラント性能データとして蓄積し、これを正時、正１０分、６時間、２４時間、毎月替わりなど所定のログ保存タイミングにてプラントデータ記憶装置９にアクセスし、ログデータ２４ｃとしてプラントデータ記憶装置９に送信し記憶させる。
【００３２】
保守情報処理部５は、プラントテーブル部２およびプラント監視処理部３ならびに運転ログ処理部４を実行するアプリケーションソフトが内部に作成している状態ログや実行記録をそれぞれ保守情報２７ａ、２７ｂ、２７ｃとして受信し統合して保守データ２４ｄを作成する。さらに所定の保守タイミングにおいてプラントデータ記憶装置９にアクセスし、保守データ２４ｄを送信し記憶させ、万が一のソフトの誤動作やプラント監視装置１にトラブルが発生した場合に解析の助としている。
【００３３】
上述したようにプラント監視処理部３および運転ログ処理部４ならびに保守情報処理部５は、所定時間または一定の条件下のアクセスタイミングにおいて、それぞれ監視処理データ２４ｂ、ログデータ２４ｃ、保守データ２４ｄをプラントデータ記憶装置９に送信し記憶させる。
【００３４】
ここで、プラント監視処理部３および運転ログ処理部４ならびに保守情報処理部５の何れかによるプラントデータ記憶装置９へのアクセス中において、バックアップ処理装置１０によってプラントデータ記憶装置９からプラントデータ２４を読み出し外部記憶装置１１にバックアップを行うと、監視処理データ２４ｂ、ログデータ２４ｃ、保守データ２４ｄの記録ミスやプラント監視装置１に処理負荷が発生するおそれがある。
【００３５】
そこで以下に、プラント監視処理部３および運転ログ処理部４ならびに保守情報処理部５によるプラントデータ記憶装置９へのアクセスタイミングを避けてバックアップ処理装置１０によってバックアップ処理装置１０によるバックアップを行う方法について説明する。
【００３６】
プラント監視処理部３は、上述したプロセス値の正常範囲逸脱制限値の逸脱によって警報出力処理の実行を判定したとき、警報出力処理の実行に先立って警報出力処理の実行予定を示す警報出力処理イベント２３ｂをイベント入力部６に送信する。警報出力処理イベント２３ｂには、警報出力処理の処理開始と処理終了の予定時刻が付加される。さらに警報出力処理イベント２３ｂには、警報出力処理の実行においてプラントデータ記録装置９に送信される監視処理データ２４ｂのデータ種別やデータ容量、記録予定時刻等の情報を付加することができる。
【００３７】
またプラントテーブル部２は、特定プラント運転状態を判定した時において、特定プラント運転状態に基づくプラント監視処理部３によるプラント自動処理の実行予定を示す特定プラントイベント２３ａをイベント入力部６に送信する。特定プラントイベント２３ａには、特定プラント運転状態に基づいてプラント監視処理部３がプラント自動処理を行うプラント機器４１や処理内容、プラント自動処理の実行予定時刻等を付加することができる。
【００３８】
さらに運転ログ処理部４は、プラントデータ記憶装置９へのログデータ２４ｃの記録予定をログ記録イベント２３ｃとしてイベント入力部６に送信する。ログ記録イベント２３ｃには、ログ保存タイミングの開始および終了予定時刻を付加することができる。
【００３９】
また保守情報処理部５は、プラントデータ記憶装置９への保守データ２４ｄの記録予定を保守イベント２３ｄとしてイベント入力部６に送信する。保守イベント２３ｄには、保守タイミングの開始および終了予定時刻を付加することができる。
【００４０】
イベント入力部６は、特定プラントイベント２３ａ、警報出力処理イベント２３ｂ、ログ記録イベント２３ｃ、保守イベント２３ｄを受信し、これらを統合してプラントイベント情報２３としてスケジュール決定部７に送信する。スケジュール決定部７は、上述したイベント入力部６からプラントイベント情報２３を受信し、プラント監視処理部３および運転ログ処理部４ならびに保守情報処理部５のプラントデータ記憶装置９へのアクセスタイミングを判定する。
【００４１】
例えば、プラント監視処理部３の警報出力処理によるアクセスタイミングは、警報出力処理イベント２３が示す警報出力処理の処理開始と処理終了の予定時刻をもってアクセスタイミングとして判定することができる。さらに、警報出力処理イベント２３に監視処理データ２４ｂの種類や容量、記録予定時刻等の情報を付加した場合には、これらの情報から警報出力処理の処理開始から処理終了までのうち実際にプラント監視処理部３がプラントデータ記憶装置９にアクセスする時刻をアクセスタイミングとして判定することができる。
【００４２】
さらにプラント監視処理部３のプラント自動処理によるアクセスタイミングは、特定プラントイベント２３ａが示すプラント監視処理部３のプラント自動処理の処理内容や実行予定時刻によって判定することができる。特定プラント運転状態を示す特定プラントイベント２３ａを用いてアクセスタイミングを判定することによって、プラント監視処理部３がプラント自動処理を実行する前にプラント自動処理によるアクセスタイミングを判定することができる。
【００４３】
ルールテーブル８には、バックアップを実行する予定の日付や時間であるバックアップ予定時間２５が記憶されている。図３は、本発明の第１の実施形態に係るプラント監視装置のルールテーブルの例を示す概略図である。図３に示すように、バックアップ予定の日付ならびに開始予定時刻を示すバックアップ予定時間２５の各々において、差分バックアップもしくは増分バックアップといったバックアップの種別を指定する情報や、バックアップするデータのロケーションを指定する情報を付加することができる。ここで、差分バックアップとは前回バックアップ時からの差分のプラントデータ２４をバックアップする方法であり、増分バックアップとは前回バックアップ時からの増分のプラントデータ２４をバックアップする方法である。
【００４４】
スケジュール決定部７は、ルールテーブル８からバックアップ予定時間２５を受信して、バックアップ予定時間２５からプラントイベント情報２３を用いて判定したアクセスタイミングを避けた時間においてバックアップを行うバックアップスケジュール２６を決定する。
【００４５】
バックアップ処理装置１０は、スケジュール決定部７からバックアップスケジュール２６を受信し、バックアップスケジュール２６に基づいてプラントデータ記憶装置９からバックアップに必要なプラントデータ２４を読み出し外部記憶装置１１にバックアップを行う。
【００４６】
またスケジュール決定部７は、運転ログ処理部４によるログデータ２４ｃの記録のように定期的にアクセスタイミングが予測できる場合には、プラントデータ記憶装置９に実行中のアクセス終了から次回のアクセス発生予測時刻前にバックアップを再度行うようにバックアップスケジュール２６を決定することもできる。また、プラント監視処理部３による不定期に発生するプラントデータ記憶装置９へのアクセスとバックアップ予定時間２５の時刻が重なった場合は、アクセス完了後にバックアップを再度行うようにバックアップスケジュール２６を決定することもできる。
【００４７】
なお、バックアップの形態としては、プラントの定期検査時にプラントデータ記憶装置９のフルバックアップデータを外部記憶装置１１に作成し、プラント運転再開後はプラントデータ記憶装置９のフルバックアップデータからの増分バックアップまたは差分バックアップを外部記憶装置１１に作成するものとする。
【００４８】
（効果）
本発明の第１の実施形態によれば、プラント監視処理部３および運転ログ処理部４ならびに保守情報処理部５によるプラントデータ記憶装置９へのアクセスタイミングを避けてバックアップスケジュールを決定し、このバックアップスケジュールに基づいてバックアップ処理装置１０によるバックアップを行うことによって、プラント監視処理部３および運転ログ処理部４ならびに保守情報処理部５によるプラントデータ記憶装置９へのアクセスに影響を及ぼさずに安定してプラントデータ２４を外部記憶装置１１にバックアップすることができる。
【００４９】
（第２の実施形態）
（構成）
以下、本発明の第２の実施形態に係るプラント監視装置について図４を参照して説明する。第１の実施形態に係るプラント監視装置の各部と同一部分には同一符号を付し、同一の構成についての説明は省略する。
【００５０】
図４は、本発明の第２の実施形態に係るプラント監視装置の概略ブロック図である。第２の実施形態が第１の実施形態と異なる点は、バックアップ中止装置１３およびバックアップ要求装置１４を新たに設けた点である。バックアップ中止装置１３およびバックアップ要求装置１４は、中央制御室の操作卓のタッチパネルディスプレイ上において表示するタッチボタンとして、または制御盤等における押しボタンとして設けることができる。
【００５１】
バックアップ中止装置１３は、バックアップ中止信号３１をスケジュール決定部７に送信することができるように、バックアップ中止装置１３はスケジュール決定部７に接続される。またバックアップ要求装置１４は、バックアップ要求信号３２をスケジュール決定部７に送信することができるように、バックアップ要求装置１４はスケジュール決定部７に接続される。
【００５２】
（作用）
以下、本発明の第２の実施形態の作用について説明する。定期検査時におけるプラント機器４１の点検時、プラント監視装置１で動作するアプリケーションソフトの入れ替え時等にプラント監視装置１が通常運転外の状態となることが予見される場合、または通常運転外の状態となった場合にプラント運転員の判断で意図的にバックアップ処理装置１０によるバックアップを停止させておきたい場合がある。
【００５３】
このような場合に、バックアップ中止装置１３によって強制的なバックアップの中止を指示することができる。バックアップ中止装置１３のボタンを一度押すことによってバックアップ中止信号３１をスケジュール決定部７に送信する。スケジュール決定手段７は、バックアップ中止信号３１を受信している間、バックアップを行わないようにバックアップスケジュール２６を決定し、バックアップ処理装置１０はこれを受信してバックアップを停止する。
【００５４】
通常運転の状態に戻った場合には、バックアップ中止装置１３のボタンを再度押す操作によってバックアップ中止信号３１の送信を解除し、スケジュール決定部７は再びルールテーブル８およびイベント入力部６を用いたバックアップスケジュールの決定を再開する。
【００５５】
一方、逆にバックアップスケジュールの範囲外であっても、例えば万が一の地震や火災、ウイルスの侵入やＤｏＳ（Ｄｅｎｉａｌ  ｏｆ  Ｓｅｒｖｉｃｅ）攻撃等によってプラントデータ記憶装置９内のプラントデータ２４が失われる可能性がある場合、プラントデータ記憶装置９内のプラントデータ２４を事後解析を目的として強制的にバックアップしておきたい場合がある。
【００５６】
このような場合に、プラント運転員によってバックアップ要求装置１４のボタンを押してバックアップ要求信号３２をスケジュール決定部７に送信する。スケジュール決定部７はバックアップ要求信号３２を受信した後、直ちにバックアップを行うバックアップスケジュールを決定し、バックアップ処理装置１０によるバックアップを行う。
【００５７】
（効果）
本発明の第２の実施形態によれば、バックアップ中止装置１３およびバックアップ要求装置１４を設けることによって、ルールテーブル８に記録されたバックアップ予定時間２５に従ったバックアップに加え、プラントの状況に応じてプラント運転員が容易にバックアップスケジュールを変更することができる。
【００５８】
（第３の実施形態）
（構成）
以下、本発明の第３の実施形態に係るプラント監視装置について図５を参照して説明する。第１の実施形態に係るプラント監視装置の各部と同一部分には同一符号を付し、同一の構成についての説明は省略する。
【００５９】
図５は、本発明の第３の実施形態に係るプラント監視装置の概略ブロック図である。第３の実施形態が第１の実施形態と異なる点は、バックアップデータ転送手段１２を新たに設けた点である。バックアップデータ転送手段１２は、プラントデータ２４をバックアップ処理装置１０から受信することができるように、バックアップデータ転送手段１２とバックアップ処理装置１０は接続される。
【００６０】
さらにプラント建屋外には外部プラントデータ記憶装置５２を有する外部プラント監視装置１ｂが、設けられる。外部プラント監視装置５１内にはデータリストア装置１３が設けられる。データリストア装置１３は、バックアップデータ転送手段１２からプラントデータ２４を受信することができるように、データリストア装置１３とバックアップデータ転送手段１２は接続される。
【００６１】
（作用）
以下、本発明の第３の実施形態の作用について説明する。バックアップ処理装置１０は、バックアップスケジュール２６に基づいてプラントデータ２４をプラントデータ記憶装置９から読み出しバックアップデータ転送手段１２に送信する。バックアップデータ転送手段１２は、プラントデータ２４を受信して外部プラント監視装置５１内のデータリストア装置１３に送信する。
【００６２】
データリストア装置１３は、バックアップデータ転送手段１２からプラントデータ２４を受信して外部プラントデータ記憶装置５２に記録し、プラント監視装置１内のプラントデータ記憶装置９と同様のデータ構造のプラントデータ２４を外部プラントデータ記憶装置５２に復元構築する。
【００６３】
外部プラント監視装置５１は、プラント建屋外のプラント建屋外に配置されており、プラント監視装置１におけるプラント監視処理部３等の構成を有する必要がないため、外部プラントデータ記憶装置５２へのアクセスタイミングを感知する必要がなく、随時データリストア装置１３によって外部プラントデータ記憶装置５２にプラントデータ２４を記憶し、さらに復元したプラントデータ２４を読み込み解析することができる。
【００６４】
（効果）
本発明の第３の実施形態によれば、プラント監視装置１のプラントデータ２４が、プラント建屋外に配置された外部プラント監視装置５１内の外部プラントデータ記憶装置５２に復元構築されるため、プラント監視装置１のプラント監視データや保守情報をプラント建屋外に得ることができ、プラント監視装置１の信頼性ならびに保守性を高めることができる。
【００６５】
さらに、プラント監視装置１内のプラントデータ記憶装置９に記憶されているプラントデータ２４が万が一消失したときには、データリストア装置１３を用いて外部プラント監視装置５２内のプラントデータ２４を読み出し、データリストア装置１３を介してプラント監視装置１内のプラントデータ記憶装置９に送信して記憶させることでデータを復元することができる。
【００６６】
また、データリストア装置１３をプラント監視装置１内に設けてもよい。この場合、データリストア装置１３によって外部記憶装置１１からプラントデータ２４を読み出し、プラントデータ記憶装置９にプラントデータ２４を書き込む構成とすることによって、外部記憶装置１１によってプラントデータ記憶装置９にプラントデータ２４を復元することができる。
【００６７】
なお、本発明の実施形態は上述した実施形態に限られないことは言うまでもない。例えば、プラント監視装置１に接続されるプラント機器４１の種類や数、送信するプロセス信号２１ａ、２１ｂ、２１ｃは、プラント監視装置１の用途やプラントの規模によって適宜変更されうるものである。
【００６８】
また、プラント監視処理部３がプラント運転員の操作画面を自動的に切り替える緊急時処理や、プロセス値を図形やシンボルパターンにて視覚化しプラント各系統の運転状況を描画するグラフィック処理、ＣＲＴ画面やプリンタにプラント状態変化を出力するメッセージ処理等を行い、さらにこれらの処理に際して処理に係るデータをプラントデータ記憶装置９に記憶させるとき、これらの処理の実行予定またはデータの記録予定をイベントとしてイベント入力部６に入力してもよい。このとき、イベント入力部６がこれらのイベントによるプラント監視処理部３のアクセスタイミングを判定し、スケジュール決定部７がこのアクセスタイミングを避けてバックアップスケジュールを決定することによって、プラント監視処理部３の緊急時処理やグラフィック処理、メッセージ処理によるプラントデータ記憶装置９へのアクセスを避けてバックアップを行うことができる。
【００６９】
なお、上述した第１から第３の実施形態は適宜組み合わせることができる。 
【符号の説明】
【００７０】
１・・・プラント監視装置
２・・・プラントテーブル部
３・・・プラント監視処理部
４・・・運転ログ処理部
５・・・保守情報処理部
６・・・イベント入力部
７・・・スケジュール決定部
８・・・ルールテーブル
９・・・プラントデータ記憶装置
１０・・・バックアップ処理装置
１１・・・外部記憶装置
１２・・・データリストア装置
１３・・・バックアップ中止装置
１４・・・バックアップ要求装置
１５・・・バックアップデータ転送装置
２１ａ、２１ｂ、２１ｃ・・・プロセス信号
２２・・・特定プラント運転状態情報
２３・・・プラントイベント情報
２３ａ・・・特定プラントイベント
２３ｂ・・・警報出力処理イベント
２３ｃ・・・ログ記録イベント
２３ｄ・・・保守イベント
２４・・・プラントデータ
２４ｂ・・・監視処理データ
２４ｃ・・・ログデータ
２４ｄ・・・保守データ
２５・・・バックアップ予定時間
２６・・・バックアップスケジュール
２７ａ、２７ｂ、２７ｃ・・・保守情報
３１・・・バックアップ中止信号
３２・・・バックアップ要求信号
４１・・・プラント機器
５１・・・外部プラント監視装置
５２・・・外部プラントデータ記憶装置 
【図１】
2013050828.tif 000003
【図２】
2013050828.tif 000004
【図３】
2013050828.tif 000005
【図４】
2013050828.tif 000006
【図５】
2013050828.tif 000007